(57)【要約】【課題】  曜日感覚でのスケジュール設定を行いやすくするために、曜日を固定し、日付を動かすようにした予定表ボードを提供する。【解決手段】  ３７行以上の日付欄と曜日欄及び予定欄を有し、曜日欄には月から始まる７曜日が順に書き込まれた予定表が２段で組み込まれた磁性を有する板体と、日付欄に貼り付けられる１〜３１日と１〜２８日の２つの連結表示セル２１，２２と、２９日，３０日及び３１日の３つの単独表示セル２３から構成されている。  左の欄が３１日の月であれば、左の欄の日付表示を１〜３１日の連結表示セル２１で表示し、右の欄の日付表示を１〜２８日の連結表示セル２２と、２９日及び３０日の表示セル２３を貼り付けて二ヶ月分の予定表を作成する。  ボードを構成する板体は、染着性の良好な樹脂塗膜が設けられた金属板を基材とし、昇華性染料の転写によって昇華性染料染着層が樹脂塗膜の厚み方向に形成されているものが好ましい。【選択図】      図２
0003103129.tif 000002
【実用新案登録請求の範囲】
【請求項１】
３７行以上の日付欄と曜日欄及び予定欄を有し、曜日欄には月から始まる７曜日が順に書き込まれた板体で構成されていることを特徴とする予定表ボード。
【請求項２】
さらに、１〜２８日の連結表示セルと、２９日，３０日及び３１日の３つの単独表示セルを有する請求項１に記載の予定表ボード。
【請求項３】
３７行以上の日付欄と曜日欄及び予定欄を有し、曜日欄には月から始まる７曜日が順に書き込まれた予定表が２段で組み込まれた板体で構成されていることを特徴とする予定表ボード。
【請求項４】
さらに、１〜３１日と１〜２８日の２つの連結表示セルと、２９日，３０日及び３１日の３つの単独表示セルを有する請求項３に記載の予定表ボード。
【請求項５】
３７行以上の日付欄と曜日欄及び予定欄を有し、曜日欄には月から始まる７曜日が順に書き込まれた予定表が１２段で組み込まれた板体で構成され、さらに７枚の１〜３１日連結表示セル、４枚の１〜３０日連結表示セル、１枚の１〜２８日連結表示セル、及び１枚の２９日単独表示セルを有することを特徴とする予定表ボード。
【請求項６】
板体及び表示セルが磁性材で形作られている請求項１〜５の何れかに記載の予定表ボード。
【請求項７】
板体が、染着性の良好な樹脂塗膜が設けられた磁性金属板を基材とし、昇華性染料の転写によって昇華性染料染着層が樹脂塗膜の厚み方向に形成されている請求項６に記載の予定表ボード。
【考案の詳細な説明】
【技術分野】
【０００１】
本考案は、業務予定，行動予定等をスムーズに書き込め、視覚的に認識もし易い予定表ボードに関する。
【背景技術】
【０００２】
従来から、企業，病院，学校等で、業務予定，行動予定等を記入するために黒板，ホワイトボード等が用いられている。予定等が書き込まれるホワイトボード等には、一般に消去不能な縦横のラインで格子状に区切られた、少なくとも３×３１の書き込み領域が設けられている。そして、通常、１系列目の書き込み領域には１日〜３１日の日付が消せないように予め書き込まれ、２系列目の書き込み領域に月〜日の７曜日が、また、第３系列目の書き込み領域に当日の予定等が、消去可能な筆記具で書き込まれるようになっている。１〜３１日を１列に並べると、長さ（高さ）が長く（高く）なりすぎるため、２段に分割されている場合も多い。
【０００３】
また、昨今の黒板，ホワイトボード等は磁性板で構成され、各種形状・色彩のマグネットを貼り付けることで、各種の識別表示を行っている。そして、月〜日の７曜日表示が、それぞれの曜日が消去不能に書き込まれたシート状磁石板の貼り付けによっても行われている。例えば特許文献１では、７曜日の単位表示セルと、そのセルを３日〜７日の間で連結した連結表示セルを準備し、連結表示セルと単位表示セルの組み合わせで一ヶ月分の７曜日表示を行うことが提案されている。図１に示すように、「火〜月」までの７日分を連結した連結表示セル１１と、「金」，「土」，「日」，「月」，「火」，「水」，「木」の単位表示セル１２を複数枚準備し、２枚の連結表示セルを貼り付けた後、残りの欄に所定の単位セルを貼り付けることで一か月分の予定表ボードが表示できることになる。この実施態様とは別に、３〜４日の連結表示セルを準備しても良い。
【特許文献１】特開平８−２８６６０９号公報
【考案の開示】
【考案が解決しようとする課題】
【０００４】
上記のような予定表は、一般的に日付を固定して曜日を変動させて記入されている。このため、日付感覚でスケジュールを設定する場合には使用しやすいが、曜日感覚でスケジュールを設定する場合にはもちい難い。
一般に、企業，病院，学校等で業務予定を組む際には、週単位で組立て、週始めの朝礼で、その週一週間の予定を周知させる場合が多い。このような場合には、常に１日から始まっている予定表は使い勝手が良くない。
本考案は、このような問題を解消すべく案出されたものであり、曜日感覚でのスケジュール設定を行いやすくするために、曜日を固定し、日付を動かすようにした予定表ボードを提供することを目的とする。
【課題を解決するための手段】
【０００５】
本考案の予定表ボードは、その目的を達成するため、３７行以上の日付欄と曜日欄及び予定欄を有し、曜日欄には月から始まる７曜日が順に書き込まれた板体で構成されていることを特徴とする。
そして、日付欄に貼り付けられる１〜２８日の連結表示セルと、２９日，３０日及び３１日の３つの単独表示セルを有するものが好ましい。
また、３７行以上の日付欄と曜日欄及び予定欄を有し、曜日欄には月から始まる７曜日が順に書き込まれた予定表が２段で組み込まれた板体で構成されていても良い。この場合には、１〜３１日と１〜２８日の２つの連結表示セルと、２９日，３０日及び３１日の３つの単独表示セルを準備すれば、二か月分の予定表ができる。
【０００６】
さらに、３７行以上の日付欄と曜日欄及び予定欄を有し、曜日欄には月から始まる７曜日が順に書き込まれた予定表が１２段で組み込まれた板体で構成され、７枚の１〜３１日連結表示セル、４枚の１〜３０日連結表示セル、１枚の１〜２８日連結表示セル、及び１枚の２９日単独表示セルを準備すれば、１年分の予定表ができる。
ボードを構成する板体及び表示セルは磁性材で形作られていることが好ましい。また、板体は、染着性の良好な樹脂塗膜が設けられた磁性金属板を基材とし、昇華性染料の転写によって昇華性染料染着層が樹脂塗膜の厚み方向に形成されているものが好ましい。
【考案の効果】
【０００７】
本考案予定表ボードの予定表欄は、３７行以上の記入欄を有し、曜日が月曜から始まる７曜日に固定されている。そして、当月の１日を７曜日の何れかの曜日に書き込む、あるいは表示セルを貼り付けている。このため、予定表を一覧するのみで当月の月始まり曜日を即時に把握することができる。また、一週間単位の予定が把握しやすくなる。
さらに、３７行以上の日付欄と曜日欄及び予定欄を備えた予定表を二か月分あるいは、１年分、各月がいずれの曜日から始まるか視覚的に一目で把握可能であるため、使いやすく、長期にわたる計画も立てやすい。
【０００８】
さらにまた、本考案の予定表ボードは、磁性を有する金属板を基材とし、基材表面に設けた透明又は半透明樹脂層の厚み方向に昇華性染料を浸透させることによって形成した昇華性染料染着層で罫線，記号，地模様等の画像を発現させることができる。このため、磁石の吸着が可能な予定表ボードとなる。罫線や地模様を付与した後においてもボード表面の平滑性が維持され、印刷部と未印刷部との段差等に起因した違和感をおぼえることなく、良好な書き味で必要情報の書き込みができ、しかも消去できる予定表ボードとして使用される。さらに、表層部が磨耗しても画像の鮮明度が損なわれないため、長期にわたって優れた意匠性が維持される。  
【考案を実施するための最良の形態】
【０００９】
本考案を構成する板体は、基本的には、図２（ａ）のように、３７行以上の日付欄と曜日欄及び予定欄を有し、曜日欄には月から始まる７曜日が順に書き込まれている。その他には当然ながら、当該予定が何月のものであるかの表示をする欄も設けられている。通常通り、予定書き込み欄の上部に設けることが好ましい。予め１〜１２月を書き込んでおき、当該月を○で囲む、あるいは中空円形のマグネットを貼り付けるようにしても良い。さらに、例えば下部に備考欄を設け、必要事項を別途記入できるようにしていてもよい。
【００１０】
３７行以上の日付欄と曜日欄及び予定欄の内、曜日欄には予め月から始まる７曜日が順に書き込まれている。
そして、書き込む月の１日から順に、その曜日の最上曜日の対応日付欄から順に書き込む、あるいは図２（ｂ）に示すような、１〜２８日の連結表示シート２２を、１日の曜日の対応日付欄に合わせて貼り付ける。３０日までの月は、３０日間での書き込みを行うか、表示シート２２を貼る場合には、残りの２９日及び３０日の単独表示セル２３を貼り付ける。このような書き込み、あるいは表示セルの貼り付けで一ヵ月分の予定表ができる。
【００１１】
次に二ヵ月分の予定表作成手順について説明する。
上記のような、３７行以上の日付欄と予め月から始まる７曜日が順に書き込まれた曜日欄及び予定欄が設けられた予定表を、図２（ａ）に示すように、例えば左右二段にわたって設ける。この内、例えば左の予定欄には、上記のように特定の一ヶ月分の１〜３０日が書き込まれ、あるいは表示セルが貼り付けられる。そして右の予定欄には次の月の曜日に合わせて１〜３１日が書き込まれ、あるいは表示セルが貼り付けられる。
この際、表示セルとしては、１〜３１日と１〜２８日の２つの連結表示セル２１，２２と、２９日，３０日及び３１日の３つの単独表示セル２３が準備されている。左の欄が３０日の月であれば、右の欄は３１日の月になるので、左の欄の日付表示を１〜２８日の連結表示セル２２と、２９日及び３０日の単独表示セル２３を用いて行い、右の欄の日付表示を１〜３１日の連結表示セル２１で行うと、二ヶ月分の予定表が出来上がる。
【００１２】
一ヶ月が過ぎ、当月が二ヶ月分の予定表の内、右側の予定表を使用する時期になった時点で、左側の予定表を次の月の予定表に書き換え、あるいは貼り替えを行う。次の月の１日の曜日に合致した日付欄から順に前記と同様に１の日付から順に書き込み、あるいは１〜２８日の連結表示セルを貼り付け、不足する２９日，３０日の単独表示セルを追加して貼り付ける。
１〜２８日の連結表示セルを準備しているので、うるう年を含めた２月分の表示は問題なく行える。また、３１日の単独表示セルも準備されているので、７月と８月、あるいは１２月と１月も何ら問題なく表示することができる。
【００１３】
１年分の予定表も、３７行以上の日付欄と曜日欄及び予定欄を有し、曜日欄には月から始まる７曜日が順に書き込まれた予定表が１２段で組み込まれているとともに、７枚の１〜３１日連結表示セル、４枚の１〜３０日連結表示セル、１枚の１〜２８日連結表示セル、及び１枚の２９日単独表示セルを準備することにより、容易に作成できる。すなわち、１月分から順に１日の曜日に合わせて１〜３１日の連結表示セル，１〜２８日連結表示セル，１〜３１日の連結表示セルと言った順に１２枚の連結表示セルを貼り付ければ、１年分の予定表が得られる。２月がうるう年の場合には、１〜２８日の連結表示セルの次に２９日の単独表示セルを貼り付ければ十分である。
【００１４】
板体及び表示セルが磁性材で形作られていると、連結表示セルあるいは単独表示セルが容易に貼り付け、貼り替えが行える。
板体としては、磁性を有する金属板を基材とすることが好ましい。普通鋼，フェライト系ステンレス鋼，各種めっき鋼板等の磁性材料を板体の基材として使用すると、磁石が吸着される予定表ボードとなる。各種形状や色分けされたマグネットを貼り付けることにより、各種の識別表示を行うことができる。
また、連結表示セル及び単独表示セルをシート状磁石板とすることにより、当該連結表示セル及び単独表示セルの貼り付け、貼り替えにより当月の予定表が作成できる。すなわち、作業者の手を汚すことなく、予定表の作成を、短時間に綺麗に行うことができる。
【００１５】
連結表示セル及び単独表示セルは、プラスチック製，金属製，レザー製，又は木製の板材表面に、日付をスクリーン印刷する，日付を印刷したフィルムを貼る，日付の焼印を押す，あるいは日付にカットしたカッティングシートを貼るなどした後、表示セルの重量を考慮して板材裏面に棒状磁石又は短冊状に切断したマグネットシートを接着して作製することができる。
また、マグネットシートに日付を直接スクリーン印刷し、必要に応じてさらにその表面を透明フィルムで被覆してもよい。あるいは、マグネットシートに、後述するような染着性の良好な樹脂塗膜を設け、昇華性染料の転写によって前記樹脂塗膜に形成した昇華性染料染着層で日付を表示したものであってもよい。
【００１６】
本考案の予定表ボードを構成する板体としては、書き込みの容易さや書き込み字体の鮮明さ、あるいは板体自身の意匠性等を考慮すると、昇華性染料の熱転写で付与された印刷罫線，印刷地模様を有するものが好ましい。
その具体的態様を図３に基づいて説明する。
予定表ボードを構成する板体は、磁性を有する鋼板，ステンレス鋼板，めっき鋼板等を基材・金属板１に使用し、基材・金属板１の表面に透明又は半透明の樹脂塗膜２を設けている。基材・金属板１と樹脂塗膜２との間に、白色ベースコート３（ｂ）、あるいはさらにプライマ層４（ｃ）を必要に応じて設けても良い。白色ベースコート３は基材・金属板１の色調を隠蔽し、プライマ層４は防錆顔料の添加等によって基材・金属板１の腐食を防止する作用を有している。
【００１７】
金属板１上に形成された樹脂塗膜２は、昇華性染料の熱転写によって昇華性染料染着層５が形成される層であり、昇華性染料の熱転写後に必要に応じてフッ素樹脂等の保護皮膜６が積層される。樹脂塗膜２は、昇華性染料染着層５で発現する印刷模様の反射濃度を十分に確保するため５μｍ以上の膜厚で形成することが好ましい。白色ベースコート３に代え、クリア樹脂を含めた他の色調を呈する樹脂層を形成することもでき、単層又は複層構成の何れであってもよい。保護皮膜６は、省略することも可能である。
【００１８】
透明又は半透明の樹脂塗膜２に付与される罫線等の画像は、昇華性染料を所定パターンで塗布した転写シートを樹脂塗膜２に重ね合わせて加熱・加圧し、樹脂塗膜２の厚み方向に昇華性染料が浸透した昇華性染料染着層５を形成することによって付与される。
昇華性染料が樹脂塗膜２の厚み方向に染着しているため、摩耗によって樹脂塗膜２が多少減耗しても画像の色調がほとんど変化せず、樹脂塗膜２が完全に減耗しない限り模様が完全になくなることもない。また、昇華性染料染着層５が形成された後でも凹凸のない平滑表面であるため、印刷部分も、印刷されていない部分と同様の書き味を呈し、イレイザーによる消去性も、スクリーン印刷等で罫線等を表面に直接描画した従来の予定表ボードと比較して格段に優れている。
【００１９】
透明又は半透明の樹脂塗膜２を形成する樹脂としては、転写シートから移行してくる昇華性染料を受容して良く染まる樹脂である限り、特に種類が限定されるものではない。具体的には、ポリビニルアルコール，ポリビニルブチラール，ポリビニルアセタール，ポリ酢酸ビニル，ポリ塩化ビニル，ポリビニルピロリドン，ポリスチレン等のビニル系樹脂、ポリメチル（メタ）アクリレート，ポリブチル（メタ）アクリレート，ポリアクリルアミド，ポリアクリロニトリル等のアクリレート系樹脂、ポリエステル樹脂、ポリカーボネート樹脂、ポリウレタン樹脂、ポリアミド樹脂、尿素樹脂、ポリカプロラクトン樹脂、ポリアリレート樹脂、ポリスルホン樹脂、シリコーンポリエステル樹脂、エポキシ樹脂等や、これら樹脂の共重合体又は混合物が染着性樹脂として使用される。予定表ボードとして用途を考慮すると、消去性を高めるために、これら樹脂にメラミン系又はイソシアネート系の架橋剤を加えた熱硬化タイプが好ましい。
【００２０】
透明又は半透明の樹脂塗膜２の上に設けられる保護皮膜６は、ポリエチレン，ポリプロピレンと同様に昇華性染料に染着されることなく昇華性染料を透過させる特性をもっている。そのため、保護皮膜６を透過した昇華性染料で樹脂塗膜２が染着され、鮮明な転写模様が発現される。しかし、フッ素樹脂は、アクリル樹脂と比較して透明性が劣り、外部との相互作用が極めて小さく非粘着性を示すため十分な層間密着性を得ることが困難である。フッ素系樹脂の非粘着性と層間密着性をバランスさせるためには、フルオロオレフィンとフルオロオレフィン以外の単量体とを共重合させ、或いはフッ素樹脂にアクリル樹脂を添加することが好ましい。
【００２１】
予定表ボードの表面材は、マーカーによる筆記性及び消去性が良好であることが要求される。「筆記性」は、マーカーのインクが塗装金属板表面に濡れやすい程度をいう。筆記性が良好であると筆記した文字がにじんだり、崩れたりしない。「消去性」は、逆にマーカーのインキ液が塗装金属板表面に濡れにくい程度をいう。消去性が良好であると筆記した文字等をイレイザーで塗装金属板表面から簡単に除去することができる。
したがって、予定表ボードとして適した表面材としては、相反する「筆記性」と「消去性」をうまくバランスさせた材料が好ましい。フッ素系樹脂は本来、インキ液を弾く性質を有しているのでフッ素樹脂にアクリル樹脂や架橋剤を添加することにより「筆記性」と「消去性」をうまくバランスさせることが必要である。このように調整したフッ素系樹脂は、ウレタン樹脂やエポキシ樹脂にシリコン系界面活性剤又はフッ素系界面活性剤を添加した樹脂とは異なり、多少樹脂の表層が摩耗しても、「筆記性」と「消去性」のバランスは変化しない。保護皮膜６を省略する場合には、樹脂種の選択・組合せにより「筆記性」と「消去性」をバランスさせた特性を樹脂塗膜２に付与する。
【００２２】
保護皮膜６を形成するフッ素系樹脂としては、フルオロオレフィン類の共重合体或いはフルオロオレフィン類とフルオロオレフィン以外の単量体との共重合体が好ましい。このようなフルオロオレフィン系共重合体の調整に使用されるフルオロオレフィンの具体的なものとしては、フッ化ビニル，フッ化ビニリデン，トリフルオロエチレン，テトラフルオロエチレン，クロロトリフルオロエチレン，ヘキサフルオロプロピレン，炭素数１〜１８のパーフルオロアルキルトリフルオロビニルエーテル等が挙げられる。
【００２３】
２種以上のフルオロオレフィンを共重合することにより、フルオロオレフィン類のみを単量体成分とする共重合体が得られる。また、フルオロオレフィン類とこれらと共重合可能な単量体類との共重合により溶剤に可溶なフルオロオレフィン系共重合体を調整できる。フルオロオレフィン類と共重合可能なビニル系単量体としては、メチルビニルエーテル，n-ブチルビニルエーテル，シクロヘキシルビニルエーテル，シクロペンチルビニルエーテル等のアクリル又はシクロアルキルビニルエーテル類、酢酸ビニル，プロピオン酸ビニル，酪酸ビニル，ピバリン酸ビニル，バーサイフク酸ビニル，安息香酸ビニル，p-t-ブチル安息香酸ビニル，シクロヘキサンカルボン酸ビニル，酢酸イソプロペニル等のカルボン酸ビニルエステル類、2-ヒドロキシエチルビニルエーテル，3-ヒドロキシプロピルビニルエーテル，4-ヒドロキシブチルビニルエーテル，2-ヒドロキシエチルアリルエーテル，2-ヒドロキシエチル（メタ）アクリレート等の水酸基を有する単量体類、アクリル酸，メタアクリル酸等のカルボキシル基を含有する単量体類、N,N-ジメチルアミノエチル（メタ）アクリレート，N,N-ジメチルアミノエチルビニルエーテル等のアミノ基を有する単量体類、グリシジルビニルエーテル、グリシジル（メタ）アクリレート等のエポキシ基を有する単量体類、トリメトキシビニルシラン，トリエトキシビニルシラン，2-トリメトキシエチルビニルエーテル，γ-メタクリロキシプロピルトリメトキシシラン等の加水分解性シリル基を有する単量体類、2-トリメチルシリルオキシエチルビニルエーテル、4-トリメチルシリルオキシブチルビニルエーテル等のシリルオキシ基を有するビニル系単量体類、トリメチルシリル（メタ）アクリレート，ビニル-5-トリメチルシリルオキシカルボニルペンタノエート等のシリルオキシカルボニル基を有する単量体類、エチレン，プロピレン，塩化ビニル，各種アルキル（メタ）アクリレート等が挙げられる。
【００２４】
フッ素系樹脂に添加するアクリル系樹脂としては、アクリル酸エステル又はメタアクリル酸エステルを含む単独重合体又は共重合体であり、反応性官能基を有するもの及び有しないものの何れも使用可能である。
昇華性染料で予め模様を付けた転写シートを透明又は半透明の樹脂塗膜２又は保護皮膜６に接触させて加熱・加圧すると、昇華した染料が樹脂塗膜２に浸透し、昇華性染料染着層５によって厚み方向に染着した模様が形成される。転写シートとしては、グラビア印刷，オフセット印刷，スクリーン印刷等で作製できる。小ロット印刷用としては、コンピューターグラフィックスを用いることにより製版工程が不要な電子写真法，静電記録法，インクジェット法，感熱転写法等によっても作製できる。
【００２５】
昇華性染料は、加熱された際に昇華、揮発等の現象により転移しうる染料をいい、たとえばキノフタロン誘導体，アントラキノン誘導体，アゾ系色素等の分散染料が好適に用いられる。従来から昇華熱転写、昇華転写捺染等で使用されている昇華性染料が特に制限なく使用でき、以下の染料が例示される。
イエロー系昇華性染料：
Kayacet Yellow AG，Kayaset Yellow TDN（以上、日本化薬製），RTY 52，Dianix Yellow 5R-E，Dianix Yellow F3G-E，Dianix Brillant Yellow 5G-E（以上、三菱化学製）、ブラスト Yellow 8040，DY108（以上、有本化学製），Sumikaron Yellow EFG，Sumikaron Yellow E-4GL（以上、住友化学製），FORON Brilliant Yellow SGGLPI（Sand社製），PS イエローGG（以上、三井東圧染料製）
【００２６】
マゼンタ系昇華性染料：
Kayaset Red 026，Kayaset Red 130，Kayaset Red B（以上、日本化薬製），Oil Red DR-99，Oil Red DK-99（以上、有本化学製），Diacelliton Pink B（以上、三菱化学製），Sumikaron Red E-FBL（以上、住友化学製），Latyl Red B（以上，DuPont社製），Sudan Red 7B（以上、BASF社製），Resolin Red FB，Ceres Red 7B（以上，Bayer社製）
シアン系昇華性染料：
Kayalon Fast Blue FG，Kayalon Blue FR，Kayacet Blue 136，Kayacet Blue 906（以上、日本化薬製），Oil Blue 63（以上、有本化学製），HSB9，RTB 31（以上、三菱化学製），Disperse Blue ＃1（以上、住友化学製）、MS Blue 50（以上、三井東圧染料製）、Ceres Blue GN（以上、Bayer社製），Duranol Brilliant Blue 2G（以上、ICI社製）
【００２７】
各色用の昇華性染料は単独で用いてもよく、２種以上を併用してもよい。黒色はイエロー、マゼンタ、シアン色用の昇華性染料を適宜混合することにより得られる。イエロー，マゼンタ，シアン以外の色の昇華性染料としては、昇華温度（液状物からの揮発温度を含む）が６０℃以上のものが適当である。昇華性染料を選択する際には昇華温度の高い染料の方が比較的分子量が高く、耐光性，耐熱性に優れる性質をもっているのでより好ましい。
【００２８】
透明又は半透明の樹脂塗膜２又は保護皮膜６と接触した状態で転写シートが加熱・加圧されると、転写シートに含まれている昇華性染料は、昇華して樹脂塗膜２を厚み方向に浸透する。そのため、厚み方向にほぼ均一に染着された透明又は半透明樹脂層で立体的な印刷模様が発現される。得られた印刷模様は、樹脂塗膜２の表面や保護皮膜６に昇華性染料が濃化したものではないため、「こすれ」により印刷薄れが生じることなく、また熱転写で意匠を付与した後に転写印刷層を透明樹脂によって保護する後工程も省略される。しかも、樹脂塗膜２の厚み方向に成長した昇華性染料染着層５で印刷模様が発現し、深み感，立体感，光沢度及び鮮映度に優れた印刷模様が得られる。このようにして、必要な模様を必要な時に簡便に付与することが可能になり、予定表ボードに各種模様付けが要求されても、ボード用塗装金属板の小ロット生産が容易になる。しかも、所定の模様を付けたボード用塗装金属板としての在庫を必要とせず、ニーズに応じた模様付けが可能になる。また、透明又は半透明の樹脂塗膜２と白色ベースコート３との間に染料層が単独で存在せず、従来のラミネート方式又は塗装方式の予定表ボード用塗装金属板にみられた層間剥離も解消される。
【００２９】
透明又は半透明の樹脂塗膜２や保護皮膜６には、太陽光線や紫外線の透過による昇華性染料の褪色防止や樹脂塗膜２，保護皮膜６の光沢低下を防止するため、ベンゾトリアゾール系又はトリアジン系紫外線吸収剤を単独で又は複合して０.１〜１５.０質量％添加すると共に、ヒンダートアミン系光安定剤を０〜３.０質量％添加することが好ましい。
【００３０】
紫外線吸収剤としては、公知のベンゾトリアゾール系又はトリアジン系紫外線吸収剤が使用できる。ベンゾトリアゾール系紫外線吸収剤としては、オクチル-3-[-t-ブチル-5-(2H-ベンゾトリアゾール-2-イル)]-4-ヒドロキシフェニル]プロピネート（チバガイギー製：TINUVIN384），2-]2-ヒドロキシ-3,5-ビス(α，α'-ジメチルベンジル)フェニル]2H-ベンゾトリアゾール（チバガイギー製：TINUVIN900），メチル-3-[3-tブチル-5-(2H-ベンゾトリアゾール-2-イル)]-4-ヒドロキシフェニル]プロピネートとポリエチレングリコール（分子量約300）の縮合物（チバガイギー製：TINUVIN1130），2-[2'-ヒドロキシ-3'-(3",4",5",6"-テトラヒドロフタルイミドメチル)5'-メチルフェニル]-ベンゾトリアゾール（共同薬品製  Viosorb 590）等が挙げられる。
【００３１】
トリアジン系紫外線吸収剤には、2-[4-[(2-ヒドロキシ-3-ジデシルオキジプロピル)-オキシ]-2-ヒドロキジフェニル]-4,6-ビス(2,4-ジメチルフェニル)1,3,5-トリアジンと2-[4-[(2-ヒドロキシ-3-トリデシルオキジプロピル)-オキシ]-2-ヒドロキシフェニル]-4,6-ビス(2,4-ジメチルフェニル)-1,3,5-トリアジンの混合物（チバガイギー製：TINUVIN400）が挙げられる。
これらの紫外線吸収剤は、単独でも、２種以上を混合しても使用することができる。使用量は０.１〜１５.０質量％含有させるのが良い。０.１質量％より使用量が少ないと透明又は半透明の樹脂塗膜２中に浸透した昇華性染料の耐光性が不十分であり、逆に１５.０質量％より多すぎると紫外線吸収剤による着色が観察される。着色は樹脂層が厚くなるほど顕著になる。
【００３２】
透明又は半透明の樹脂塗膜２や保護皮膜６の耐光性を更に向上させるため、各種光安定剤を、単独で、あるいは２種以上を混合しても使用できる。光安定剤の添加量を３.０質量％より多くしても樹脂中に浸透した昇華性染料の耐光性の向上は得られず、却って外観が低下する傾向がみられる。特に好ましくは０.１〜１.５質量％の範囲で光安定剤を添加する。
光安定剤としては、ヒンダートアミン系のものを０〜３.０質量％配合することが好ましい。ヒンダートアミン系光安定剤には、ビス(2,2,6,6-テトラメチル-4-ピペリジル)セバケート（三共製：SANOL LS770），ビス(1,2,2,6,6-ペンダメチル-4-ピペリジル)セバケート（三共製：SANOL LS765），1-{2-[3-(3、5-ジ-t-ブチル-4-ヒドロキシフェニル)プロピオニルオキシ]エチル}-4-[3-(3.5-ジ-t-ブチル-4-ヒドロキシフェニル)プロピオニルオキシ]エチル}-4-[3-(3,5-ジ-t-ブチル-4-ヒドロキシフェニル)プロピオニルオキシ]-2,2,6,6-テトラメチルピペリジン（三共製：SANOL LS2626），4-ベンゾイルオキシ-2,2,6,6-テトラメチルピペリジン（三共製：SANOL LS744），8-アセチル-3-ドデシル-7,7,9,9-テトラメチル-1,3,8-トリアザスピロ[4、5]デカン-2,4-ジオン（三共製：SANOL LS440），2-(3,5-ジ-t-ブチル-4-ヒドロキシベンジル)-2-n-ブチルマロン酸ビス(1,2,2,6,6-ペンタメチル-4-ピペリジル)（チバガイギー製：TINUVIN 144），コハク酸ビス(2,2,6,6-テトラメチル-4-ピペリジル)エステル（チバガイギー製：TINUVIN 780FF）、コハク酸ジメチルと1-(2-ヒドロキシエチル)-4-ヒドロキシ-2,2,6,6-テトラメチルピペリジンの重縮合物（チバガイギー製：TINUVIN 622LD），ポリ{[6-(1,1,3,3-テトラメチルブチル)アミノ-1,3,5-トリアジン-2,4-ジイル][(2,2,6,6-テトラメチル-4-ピペリジル)イミノ]ヘキサメチレン{(2,2,6,6-テトラメチル-4-ピペリジル)イミノ]}（チバガイギー製：CHIMASSORB 944LD），N,N'-ビス(3-アミノプロピル)エチレンジアミンと2,4-ビス[N-ブチル-N-(1,2,2,6,6-ペンタメチル-4-ピペリジル)アミノ]-6-クロロ-1,3,5-トリアジンの重縮合物（チバガイギー製：CHIMASSORB 119FL），ビス(1,2,2,6,6-ペンタメチル-4-ピペリジル)セバケート（チバガイギー製：TINUVIN 292）、ビス(1-オクタオキシ-2,2,6,6-テトラメチル-4-ピペリジル)セバケート（チバガイギー製：TINUVIN 123），HA-70G（三共製），アデカスタブ LA-52，アデカスタブ LA-57，アデカスタブ LA-62，アデカスタブ LA-67，アデカスタブ LA-63，アデカスタブ LA-68，アデカスタブ LA-82，アデカスタブ LA-87（以上、旭電化工業製）等が挙げられる。
【００３３】
上記に説明したような形態で、日付欄，曜日欄及び予定欄を区画する罫線と、所望の地模様を印刷した予定表ボード用の板体を得る。
日付欄，曜日欄及び予定欄を区画する罫線は、イエロー、マゼンタ、シアン色用の昇華性染料を適宜混合することにより得られる黒色染料を用いて印刷することが好ましいが、使用者の要望に応じた色の罫線を印刷することも可能である。
また、意匠性や識別性を考慮して、所望の配色の地模様を印刷することも可能である。例えば、日曜日を通常のカレンダー表示と同様に赤地に、土曜日をピンク地にしても良い、さらに事業所等にあっては、最終の金曜日に特殊な色地模様を印刷することも可能である。要望に応じて各種の色付け，模様付けが可能である。
【図面の簡単な説明】
【００３４】
【図１】従来の予定表ボードを説明する図
【図２】本考案の予定表ボードを説明する図
【図３】本考案を構成する塗装板体の断面構造を示す図
【図１】
0003103129.tif 000003
【図２】
0003103129.tif 000004
【図３】
0003103129.tif 000005